(57)【要約】【課題】電動弁を軸方向において小型化することができるステータコイル、及び該ステータコイルを備えた電動弁を提供する。【解決手段】ステータコイル２０において、本体部８に対してｚ方向の上側に設けられる取付部９が、ｚ方向から見て開口９５１を有する連結部９５を備えることで、ケース６２のうちＺ方向の上側の端部を本体部８に挿通し、さらにこの端部の少なくとも一部を連結部９５に挿通することができる。従って、取付部の一部がケース６２に対してＺ方向に並ぶように配置される構成と比較して、電動弁１全体の軸方向寸法を小さくすることができ、電動弁１を軸方向において小型化することができる。【選択図】図３
2022002453.tif 000002
【特許請求の範囲】
【請求項１】
弁本体においてマグネットを収容する筒状のマグネット収容部に組み付けられることにより、前記弁本体とともに電動弁を構成するステータコイルであって、
コイルを含むとともに前記マグネット収容部が挿通される環状の本体部と、
前記本体部に対して軸方向の一方側に設けられるとともに前記マグネット収容部に取り付けられる取付部と、を備え、
前記取付部は、前記軸方向から見て開口を有する環状部と、前記環状部に接続されて前記マグネット収容部を径方向から挟み込む一対の挟持部と、前記マグネット収容部の外周面に係止される係止部と、を有することを特徴とするステータコイル。
【請求項２】
前記環状部は、前記挟持部を介して前記本体部に支持されることを特徴とする請求項１に記載のステータコイル。
【請求項３】
前記取付部は、前記環状部を前記本体部に支持させる支持部に対して前記軸方向に並ぶ位置に設けられた前記係止部を有することを特徴とする請求項１又は２に記載のステータコイル。
【請求項４】
前記取付部は、前記環状部を前記本体部に支持させる支持部とは周方向において異なる位置に、前記係止部が設けられた係止片を有することを特徴とする請求項１〜３のいずれか１項に記載のステータコイル。
【請求項５】
前記取付部は、前記マグネット収容部の径方向に対向する位置に設けられた一対の前記係止部を有することを特徴とする請求項１〜４のいずれか１項に記載のステータコイル。
【請求項６】
請求項１〜５のいずれか１項に記載のステータコイルと、前記弁本体と、を備えることを特徴とする電動弁。
【請求項７】
前記マグネット収容部は、前記本体部に挿通される側の端部が先細り形状を有し、
前記環状部の開口は、前記マグネット収容部の端部のうち所定範囲のみを挿通可能とし、前記所定範囲を超えた挿通を規制するように形成されていることを特徴とする請求項６に記載の電動弁。
【発明の詳細な説明】
【技術分野】
【０００１】
本発明は、ステータコイル及び電動弁に関する。
【背景技術】
【０００２】
一般に、電磁アクチュエータを備えることで弁開度を調整可能な電動弁が知られている。このような電動弁として、ブリッジ片によってステータ部材が弁ハウジングのケースに取り付けられるものが提案されている（例えば、特許文献１参照）。特許文献１に記載された電動弁では、ブリッジ片が、ステータ部材に固定される一対の脚片部と、脚片部同士を接続するブリッジ片部と、半球状突起部が形成された一対の垂下片部と、を有し、ケースの外周面部に複数のディンプルが形成されている。半球状突起部がディンプルに係合することにより、ケースに対するステータ部材の周方向の取り付け位置が設定されるようになっている。
【先行技術文献】
【特許文献】
【０００３】
【特許文献１】特開２００３−１４８６４４号公報
【発明の概要】
【発明が解決しようとする課題】
【０００４】
しかしながら、特許文献１に記載された電動弁では、ブリッジ片が軸方向においてケースの先端部に重なるように配置されるため、電動弁全体の軸方向寸法が大きくなりやすいという不都合があった。
【０００５】
本発明の目的は、電動弁を軸方向において小型化することができるステータコイル、及び該ステータコイルを備えた電動弁を提供することである。
【課題を解決するための手段】
【０００６】
本発明のステータコイルは、弁本体においてマグネットを収容する筒状のマグネット収容部に組み付けられることにより、前記弁本体とともに電動弁を構成するステータコイルであって、コイルを含むとともに前記マグネット収容部が挿通される環状の本体部と、前記本体部に対して軸方向の一方側に設けられるとともに前記マグネット収容部に取り付けられる取付部と、を備え、前記取付部は、前記軸方向から見て開口を有する環状部と、前記環状部に接続されて前記マグネット収容部を径方向から挟み込む一対の挟持部と、前記マグネット収容部の外周面に係止される係止部と、を有することを特徴とする。
【０００７】
以上のような本発明によれば、本体部に対して軸方向の一方側に設けられる取付部が、軸方向から見て開口を有する環状部を備えることで、マグネット収容部のうち軸方向の一方側の端部を本体部に挿通し、さらにこの端部の少なくとも一部を環状部に挿通することができる。従って、取付部の一部がマグネット収容部に対して軸方向に並ぶように配置される構成と比較して、電動弁全体の軸方向寸法を小さくすることができる。従って、電動弁を軸方向において小型化することができる。
【０００８】
この際、本発明のステータコイルでは、前記環状部は、前記挟持部を介して前記本体部に支持されることが好ましい。このような構成によれば、挟持部が、マグネット収容部を挟み込む機能と、環状部を本体部に支持させる機能と、の両方を有することにより、取付部の構成を簡素化しやすい。
【０００９】
また、本発明のステータコイルでは、前記取付部は、前記環状部を前記本体部に支持させる支持部に対して前記軸方向に並ぶ位置に設けられた前記係止部を有することが好ましい。このような構成によれば、支持部に対して軸方向に並ぶ位置において取付部は変形しにくく、このような位置に係止部が設けられることにより、係止部による係止力を向上させることができる。
【００１０】
また、本発明のステータコイルでは、前記取付部は、前記環状部を前記本体部に支持させる支持部とは周方向において異なる位置に、前記係止部が設けられた係止片を有することが好ましい。このような構成によれば、係止部の数を増やすことが容易であり、ステータコイルと弁本体との相対角度の調節ピッチを小さくすることができる。
【００１１】
また、本発明のステータコイルでは、前記取付部は、前記マグネット収容部の径方向に対向する位置に設けられた一対の前記係止部を有することが好ましい。このような構成によれば、一対の係止部によってマグネット収容部を挟み込むことができ、係止力を向上させることができる。
【００１２】
本発明の電動弁は、上記いずれかに記載のステータコイルと、前記弁本体と、を備えることを特徴とする。以上のような本発明によれば、上記のように、電動弁を軸方向において小型化することができる。
【００１３】
この際、本発明の電動弁では、前記マグネット収容部は、前記本体部に挿通される側の端部が先細り形状を有し、前記環状部の開口は、前記マグネット収容部の端部のうち所定範囲のみを挿通可能とし、前記所定範囲を超えた挿通を規制するように形成されていることが好ましい。このような構成によれば、マグネット収容部が環状部の開口に対して過挿入されることを抑制し、ステータコイルと弁本体との軸方向における相対位置を位置決めしやすい。
【発明の効果】
【００１４】
本発明のステータコイル及び電動弁によれば、電動弁を軸方向において小型化することができる。
【図面の簡単な説明】
【００１５】
【図１】本発明の一例である実施形態にかかる電動弁を示す正面図である。
【図２】前記電動弁を示す断面図である。
【図３】前記電動弁のステータコイルを示す断面図である。
【図４】前記ステータコイルを示す上面図である。
【図５】前記ステータコイルの取付部を示す断面図である。
【図６】前記取付部を示す他の断面図である。
【図７】前記取付部を示す上面図である。
【図８】前記電動弁のマグネット収容部に対して前記取付部を取り付ける様子を示す断面図である。
【発明を実施するための形態】
【００１６】
本発明の実施形態について、図面を参照して説明する。本実施形態の電動弁１は、パッケージエアコンやルームエアコン等の空気調和機の冷凍サイクルシステムに用いられるものであって、図１、２に示すように、弁本体１０とステータコイル２０とを備える。
【００１７】
［弁本体の構造］
弁本体１０は、弁ハウジング２と、弁体３と、弁ホルダ４と、支持部材５と、ロータユニット６と、を備える。ロータユニット６とステータコイル２０とによって、ステッピングモータ３０が構成される。
【００１８】
弁ハウジング２は、円筒状に形成され、その内側の弁室２Ａ内に弁体３および弁ホルダ４を収容する。以下では、弁ハウジング２の軸方向をＺ方向とし、Ｚ方向に直交する２方向をそれぞれＸ方向及びＹ方向とする。また、Ｚ方向における上下は図１を基準とする。弁ハウジング２には、弁室２Ａに連通する継手管２１が側面に取り付けられるとともに、下端部には筒状開口部２２が形成されている。筒状開口部２２には、Ｚ方向に延びる継手管２３の端部が挿通されて接続されるとともに、継手管２３に隣り合うように弁座部材７が圧入される。継手管２３は、弁座部材７の弁ポート７０に連通している。
【００１９】
弁体３は、弁ホルダ４の下端に固着されて下方に向かって延び、先端にニードル弁３１を有している。ニードル弁３１が弁座部材７の後述するシール部７１に対して着座又は離座する。
【００２０】
弁ホルダ４は、Ｚ方向に沿って延びる円筒状に形成され、その上端部が、ロータユニット６の後述するロータ軸６１の下端部に係合されている。即ち、弁ホルダ４は、ロータ軸６１によって吊り下げられており、ロータ軸６１に対して回転可能となっている。また、弁ホルダ４内には、圧縮コイルバネ４１が設けられ、弁体３に対して下方への荷重が与えられている。尚、圧縮コイルバネ４１は説明の都合上、図１において破線によって省略して図示している。
【００２１】
支持部材５は、弁ハウジング２の上方開口を塞ぐように、フランジ部５１において弁ハウジング２に固定されている。支持部材５には、弁ホルダ４を収容するとともにＺ方向に案内する案内凹部５２と、ロータ軸６１が螺合する雌ネジ部５３と、案内凹部５２とロータユニット６の後述するケース６２内の空間とを連通する連通孔５４と、が形成されている。
【００２２】
ロータユニット６は、ロータ軸６１と、ケース６２と、マグネットロータ６３と、で構成されている。ケース６２内には、外周部を多極に着磁されたマグネットロータ６３が回転可能に設けられ、このマグネットロータ６３にはロータ軸６１が固着されている。また、ケース６２の外周には、ステータコイル２０が配設されており、ステッピングモータ３０は、ステータコイル２０にパルス信号が与えられることにより、そのパルス数に応じてマグネットロータ６３を回転させる。
【００２３】
ケース６２は、マグネットとしてのマグネットロータ６３を収容することでマグネット収容部として機能する。ケース６２は、上板部６２１と円筒部６２２とを有して有底円筒状に形成されており、上板部６２１と円筒部６２２とが滑らかに接続されている。即ち、円筒部６２２は、上方に向かうにしたがって徐々に外径が小さくなりつつ上板部６２１に接続され、ケース６２の上端部は先細り形状を有している。円筒部６２２の外周面には、図８に示すように、複数（本実施形態では５個）のディンプル（係止凹部）６２３が形成されている。ディンプル６２３は、円筒部６２２のうち上板部６２１の近傍に配置され、複数のディンプル６２３がＺ方向周りの周方向に沿って並んでいる。５個のディンプル６２３は等間隔で並んでおり、隣り合うディンプル６２３同士の間隔は７２°となっている。尚、図示の例では、上板部６２１と円筒部６２２とが滑らかに接続されることでケース６２の上端部は先細り形状を有しているものとしたが、上板部６２１と円筒部６２２との接続構造はこれに限定されず、ケース６２の上端部が先細り形状を有するような接続構造であればよい。例えば、上板部６２１と円筒部６２２とをテーパによって接続したり、複数の段部によって接続したりする構造としてもよい。
【００２４】
ロータ軸６１の外周面には、支持部材５の雌ネジ部５３と螺合する雄ネジ部６１１が形成されている。ステッピングモータ３０が駆動することで、マグネットロータ６３及びロータ軸６１が回転し、雄ネジ部６１１と雌ネジ部５３とにより構成されるネジ送り機構により、ロータ軸６１がＺ方向に移動する。これにより、ロータ軸６１に吊り下げられた弁ホルダ４が、支持部材５の案内凹部５２に案内されつつＺ方向に移動し、弁体３のニードル弁３１がシール部７１に対して着座又は離座し、弁ポート７０が開閉される。そして、弁体３のＺ方向の位置（リフト量）に応じて弁ポート７０の開度が制御され、弁ポート７０を流れる流体の流量が制御される。
【００２５】
［ステータコイルの構造］
ステータコイル２０は、マグネット収容部としてのケース６２に組み付けられることにより、弁本体１０とともに電動弁１を構成するものであって、図３、４に示すように、円筒状（環状）の本体部８と、本体部８を弁本体１０に取り付けるための取付部９と、を備える。ステータコイル２０の本体部８の軸方向をｚ方向とし、ｚ方向に直交する２方向をｘ方向及びｙ方向とする。ステータコイル２０が弁本体１０に組み付けられた状態において、ｚ方向がＺ方向に一致する。
【００２６】
本体部８は、円環状のステータヨーク８１と、円筒状且つ樹脂製のボビン８２と、ボビン８２に巻回されたコイル８３と、ケース８４と、を有する。ステータヨーク８１とボビン８２とが一体に形成されることにより、コイル８３とともに成形体を構成する。成形体がケース８４に収容され、ケース８４の内周側とボビン８２の外周側とにより形成される空間が注型樹脂８５により封止される。ボビン８２には、電流を供給する端子８６が圧入されており、端子８６は基板８７を介してリード線８８に接続される（図２参照）。ボビン８２の上面のうち内周部８４５によって上側から覆われる部分からは、取付部９を係止するための２つの係止突起８２１が突出しており、２つの係止突起８２１はｘ方向からボビン８２の開口を挟み込むように配置されている。
【００２７】
ケース８４は、筒状部８４１と、筒状部８４１の上端部に接続されるとともに開口部８４３が形成された円環部８４２と、を有する。円環部８４２は、ステータヨーク８１又はボビン８２に当接する外周部８４４と、外周部８４４よりも内周側且つ上側に位置する内周部８４５と、を有する。内周部８４５は、ステータヨーク８１又はボビン８２の上面に対して離隔し、後述する脚部９１、９２を収容して係止可能に形成されている。
【００２８】
取付部９は、例えば板金によって形成され、図５〜７にも示すように、２つの脚部９１、９２と、脚部９１、９２のそれぞれからＺ方向に沿って上側に向かって延びる立上部９３、９４と、２つの立上部９３、９４を連結する連結部９５と、連結部９５からＺ方向に沿って下側に向かって延びる一対の係止片９６、９７と、を一体に有する。
【００２９】
脚部９１、９２は、ｘｙ平面に沿って延び、ケース８４の内周部８４５とステータヨーク８１又はボビン８２の上面との隙間に配置可能な厚さを有している。即ち、脚部９１、９２は、この隙間に配置されることで連結部９５を本体部８に支持させるようになっており、支持部として機能する。２つの脚部９１、９２は、ｘ方向に対向するように配置されており、立上部９３、９４のそれぞれから互いに反対側に向かうように延びている。脚部９１、９２は、それぞれ立上部９３、９４側を基端とした際の先端側が二股形状を有している。即ち、脚部９１、９２の先端部のうちｙ方向中央部に凹部９１１、９２１が形成されている。
【００３０】
立上部９３、９４は、脚部９１、９２に対して直角に屈曲されるとともに帯板状に形成されており、ｙｚ平面に沿って延びる。一対の立上部９３、９４は、連結部９５のｘ方向両側端部に接続され、ｘ方向に対向する。これにより、一対の立上部９３、９４は、マグネット収容部としてのケース６２を径方向から挟み込む一対の挟持部として機能する。立上部９３、９４の互いに向かい合う面には、凸状の係止部９３１、９４１が形成されている。係止部９３１、９４１は、それぞれ支持部としての脚部９１、９２に対してｚ方向に並ぶ位置に設けられるとともに、ケース６２の径方向に対向する位置に設けられている。
【００３１】
連結部９５は、ｘｙ平面に沿って延びる略円環板状に形成され、ｚ方向から見て開口９５１を有することで環状部として機能する。開口９５１は、円状に形成されている。ケース６２は、円筒部６２１と上板部６２２との間において徐々に外径が小さくなる領域を有し、この領域において、その外径が開口９５１の内径と等しくなる一致部を有する。即ち、開口９５１は、ケース６２の上端部のうち所定範囲（一致部よりも上側の領域）のみを通過可能とし、所定範囲を超えて挿通しようとすると、開口９５１の内周面とケース６２の外周面とが当接し、過挿入が規制される。また、連結部９５は、立上部９３、９４を介して脚部９１、９２によって本体部８に支持されている。
【００３２】
連結部９５には、ｚ方向から見て、立上部９３、９４と係止片９６、９７とのそれぞれの間に、中間部９５２〜９５５が形成されており、中間部９５２〜９５５と立上部９３、９４との間、及び、中間部９５２〜９５５と係止片９６、９７との間には、外周側が凹状となった凹部９５６が形成されている。凹部９５６が形成されていることにより、立上部９３、９４及び係止片９６、９７は、開口９５１の中心に対して接離するように変形しやすくなっている。
【００３３】
一対の係止片９６、９７は、脚部９１、９２とは別に設けられた（脚部９１、９２とはｚ方向周りの周方向において異なる位置に設けられた）ものであって、連結部９５に対して直角に屈曲されるとともに帯板状に形成されており、ｚｘ平面に沿って延びる。一対の係止片９６、９７は、連結部９５のｙ方向両側端部に接続され、ｙ方向に対向する。これにより、一対の係止片９６、９７は、マグネット収容部としてのケース６２を径方向から挟み込む。一対の係止片９６、９７の対向方向は、一対の立上部９３、９４の対向方向（一対の脚部９１、９２の対向方向）と直交する。係止片９６、９７の互いに向かい合う面のうち下端部には、凸状の係止部９６１、９７１が形成されている。また、一対の係止部９６、９７は、ケース６２の径方向において対向するように設けられている。
【００３４】
立上部９３、９４の係止部９３１、９４１と、係止片９６、９７の係止部９６１、９７１と、はｚ方向位置が一致している。即ち、４つの係止部９３１、９４１、９６１、９７１が、ｚ方向周りの周方向に並んでいる。また、係止部９３１、９４１、９６１、９７１は等間隔（９０°間隔）となっている。
【００３５】
取付部９は、以下のようにして本体部８に取り付けられて支持される。一対の脚部９１、９２同士を近づけるように取付部９を変形させ、脚部９１、９２がケース８４の開口部８４３を通過したら取付部９を復元させる。このとき、本体部８の係止突起８２１を二股形状の脚部９１、９２の凹部９１１、９２１に位置付ける。これにより、脚部９１、９２が係止突起８２１によって係止され、本体部８と取付部９とのｘ方向及びｙ方向の相対移動が規制される。さらに、内周部８４５とステータヨーク８１又はボビン８２の上面との間に脚部９１、９２が位置づけられ、脚部９１、９２が内周部８４５によって係止され、本体部８と取付部９とのｚ方向の相対移動が規制される。なお、内周部８４５には、脚部９１、９２との間隔を小さくするために、ステータヨーク８１又はボビン８２側に向かって突出する規制部８４６が設けられている。取付部９は、本体部８に対してｚ方向の一方側（図３における上側）に設けられる。
【００３６】
ここで、ステータコイル２０を弁本体１０に対して組み付ける方法について説明する。まず、ステータコイル２０と弁本体１０とをＺ方向（ｚ方向）周りの周方向において位置合わせ（相対角度を調節）しつつ、ケース６２を上端側から環状の本体部８に挿通していく。即ち、５個のディンプル６２３のうち１個と、４個の係止部９３１、９４１、９６１、９７１のうち１個と、の周方向位置を一致させる。ケース６２を挿通していくと、係止部９３１、９４１、９６１、９７１がケース６２の外周面に当接することにより、一対の立上部９３、９４同士が離れるとともに一対の係止片９６、９７同士が離れるように、取付部９が変形する。さらに挿通していくと、ディンプル６２３と係止部９３１、９４１、９６１、９７１とが係合し、立上部９３、９４又は係止片９６、９７が若干復元する。
【００３７】
上記のようにステータコイル２０が弁本体１０に対して組み付けられた状態において、取付部９は、自然状態に対し、一対の立上部９３、９４同士及び一対の係止片９６、９７同士が離れた状態となっている。これにより、一対の立上部９３、９４同士及び一対の係止片９６、９７同士を近づけるような復元力が生じる。この復元力が、取付部９によってケース６２を保持する保持力となる。このとき、ディンプル６２３と係止部９３１、９４１、９６１、９７１とが係合していることにより、ステータコイル２０と弁本体１０とが、Ｚ方向を中心として相対回転したり、Ｚ方向に沿って相対移動したりすることが規制される。また、一対の立上部９３、９４同士が連結部９５によって連結され、一対の係止片９６、９７同士が連結部９５によって連結されていることで、保持力を確保しやすくなっている。
【００３８】
尚、立上部９３、９４及び係止片９６、９７が変形する際、立上部９３、９４及び係止片９６、９７自体が撓み変形してもよいし、立上部９３、９４及び係止片９６、９７と連結部９５との接続部分が変形してもよいし、これらの変形が組み合わされてもよい。
【００３９】
５個のディンプル６２３のうち１個と、４個の係止部９３１、９４１、９６１、９７１のうち１個と、が係合している状態において、作業者が、取付部９を変形させて係合を解除しつつ、ステータコイル２０と弁本体１０とを相対回転させることにより、係合するディンプル６２３と係止部９３１、９４１、９６１、９７１との組み合わせを変更してもよい。また、ステータコイル２０と弁本体１０とを周方向において位置合わせせずにケース６２を本体部８に挿通した後、ステータコイル２０と弁本体１０とを相対回転させることでディンプル６２３と係止部９３１、９４１、９６１、９７１とを係合させてもよい。
【００４０】
以上の本実施形態によれば、本体部８に対してｚ方向の上側に設けられる取付部９が、ｚ方向から見て開口９５１を有する連結部９５を備えることで、ケース６２のうちＺ方向の上側の端部を本体部８に挿通し、さらにこの端部の少なくとも一部を連結部９５に挿通することができる。従って、取付部の一部がケース６２に対してＺ方向に並ぶように配置される構成と比較して、電動弁１全体の軸方向（Ｚ方向及びｚ方向）寸法を小さくすることができ、電動弁１を軸方向において小型化することができる。
【００４１】
また、連結部９５が挟持部としての立上部９３、９４を介して本体部８に支持されることで、立上部９３、９４が、ケース６２を挟み込む機能と、連結部９５を本体部８に支持させる機能と、の両方を有する。これにより、取付部９の構成を簡素化しやすい。
【００４２】
また、脚部９１、９２に対してｚ方向に並ぶ位置において立上部９３、９４は変形しにくく、このような位置に係止部９３１、９４１が設けられることにより、係止部９３１、９４１による係止力を向上させることができる。
【００４３】
また、取付部９が、支持部としての脚部９１、９２とは周方向に異なる位置に、係止部９６１、９７１が設けられた係止片９６、９７を有することで、係止部の数を増やすことができ、ステータコイル２０と弁本体１０との相対角度の調節ピッチを小さくすることができる。
【００４４】
また、一対の係止部９３１、９４１がケース６２の径方向に対向し、一対の係止部９６１、９７１がケース６２の径方向に対向することで、一対の係止部９３１、９４１及び一対の係止部９６１、９７１のそれぞれによってケース６２を挟み込むことができ、係止力を向上させることができる。
【００４５】
また、連結部９５の開口９５１が、ケース６２の所定範囲のみを挿通可能とし、所定範囲を超えた挿通を規制するように形成されていることで、ケース６２が開口９５１に対して過挿入されることを抑制し、ステータコイル２０と弁本体１０とのＺ方向における相対位置を位置決めしやすい。
【００４６】
なお、本発明は、前記実施形態に限定されるものではなく、本発明の目的が達成できる他の構成等を含み、以下に示すような変形等も本発明に含まれる。例えば、前記実施形態では、連結部９５が挟持部としての立上部９３、９４を介して本体部８に支持されるものとしたが、取付部において、環状部を本体部に支持させる部分がマグネット収容部を挟持せず、支持させる部分とは別に一対の挟持部を有していてもよい。このような構成によれば、一対の挟持部による挟持力を調節しやすい。
【００４７】
また、前記実施形態では、係止部９３１、９４１が脚部９１、９２に対してｚ方向に並ぶ位置に設けられるものとしてが、取付部には、少なくとも１つの係止部が設けられていればよく、例えば係止片にのみ係止部が設けられる構成としてもよい。
【００４８】
また、前記実施形態では、取付部９が係止片９６、９７を有するものとしたが、取付部は係止片を有していなくてもよい。即ち、取付部が支持部および挟持部を有し、係止部が挟持部に設けられる構成としてもよい。このような構成によれば、取付部の構成を簡素化することができる。
【００４９】
また、前記実施形態では、一対の係止部９３１、９４１がケース６２の径方向に対向し、一対の係止部９６１、９７１がケース６２の径方向に対向するものとしたが、一対の係止部同士が径方向に対向しない構成としてもよい。例えば、係止部と平坦部とが径方向に対向する構成としてもよいし、取付部が、係止部と対向する部分を有していなくてもよい。
【００５０】
また、前記実施形態では、連結部９５の開口９５１及びケース６２の外周面が軸方向から見て円状であり、これらの内径と外径とが一致することで過挿入が規制されるものとしたが、過挿入を規制する構成はこれに限定されない。例えば、環状部の開口とマグネット収容部の外周面とが異なる形状を有することで過挿入が規制されてもよく、具体例としては、外周面が円状且つ先細り形状を有するマグネット収容部に対し、環状部の開口が矩形状となっていることにより、マグネット収容部の外径が開口の短辺の長さと一致することで挿入が規制される構成が挙げられる。
【００５１】
また、前記実施形態では、ケース６２に凹状のディンプル６２３が形成されるとともに取付部９に凸状の係止部９３１、９４１、９６１、９７１が形成されるものとしたが、マグネット収容部に凸状の係止部が形成されるとともに取付部に凹状又は貫通孔状の係止部が形成されてもよい。
【００５２】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
【符号の説明】
【００５３】
１…電動弁、１０…弁本体、６２…ケース（マグネット収容部）、６３…マグネットロータ、２０…ステータコイル、８…本体部、８３…コイル、９…取付部、９１，９２…脚部（支持部）、９３，９４…立上部（挟持部）、９３１，９４１…係止部、９５…連結部（環状部）、９５１…開口、９６，９７…係止片、９６１，９７１…係止部
【図１】
2022002453.tif 000003
【図２】
2022002453.tif 000004
【図３】
2022002453.tif 000005
【図４】
2022002453.tif 000006
【図５】
2022002453.tif 000007
【図６】
2022002453.tif 000008
【図７】
2022002453.tif 000009
【図８】
2022002453.tif 000010